(57)【要約】【課題】凍結予防運転の為に、ユーザーに浴槽への注水を喚起する事。【解決手段】浴槽水の有無を外部入力装置１０に表示し、ユーザーに浴槽水の有無を知らせる制御手段４０を有したものである。特に、凍結の恐れのあるにもかかわらず、浴槽１６に水が無い場合、ユーザーに浴槽１６に水が無いことを信号音や、音声、文字メッセージ等により予め知らせ、浴槽１６への注水を喚起することにより、凍結予防運転に備える事が出来る。また、ユーザーが不在の場合等は、風呂回路に自動的に給湯を行うことにより、凍結による機器の破損を予防する事が出来る。【選択図】　図１
2004044863.tif 000002
【特許請求の範囲】
【請求項１】
給湯加熱部と、給湯熱交換器と、給湯出湯側に設けられ、温水を風呂回路に供給する給湯電磁器と、浴槽水を循環させる循環ポンプと、風呂加熱部と、風呂熱交換部と、循環水の戻り通路上に設けられ循環水の戻り温度を検知する戻り温度検知部と、循環水の戻り通路上に設けられ、浴槽水の水位を検知する水位検知部と、循環経路上に設けられ水流を検知する水流検知部を有し、前記水位検知部が浴槽水無しと判定した場合、浴槽に水がないことを知らせる報知手段を有した風呂給湯器。
【請求項２】
給湯加熱部と、給湯熱交換器と、給湯出湯側に設けられ、温水を風呂回路に供給する給湯電磁弁と、浴槽水を循環させる循環ポンプと、風呂加熱部と、風呂熱交換と、循環水の戻り通路上に設けられ循環水の戻り温度を検知する戻り温度検知部と、循環経路上に設けられ水流を検知する水流検知部を有し、定期的に前記循環ポンプを駆動し、前記水流検知部が水流を検知しない場合、浴槽水無しと判定し、浴槽に水がないことを知らせる報知手段を有した風呂給湯器。
【請求項３】
給湯加熱部と、給湯熱交換器と、給湯出湯側に設けられ、温水を風呂回路に供給する給湯電磁弁と、浴槽水を循環させる循環ポンプと、風呂加熱部と、風呂熱交換器と、循環水の戻り通路上に設けられ循環水の戻り温度を検知する戻り温度検知部と、循環経路上に設けられ水流を検知する水流検知部を有し、前記戻り温度検知部が所定の温度以下を検知し、前記循環ポンプを駆動し、前記水流検知部が水流を検知しない場合、浴槽水無しと判定し、浴槽に水がないことを知らせる報知手段を有した風呂給湯器。
【請求項４】
報知手段は、ランプを点灯、ランプを点滅、信号音を発生、音声を伝達又は表示部に文字を表示するものである請求項１、２又は３記載の風呂給湯器。
【請求項５】
外部入力装置に所定のスイッチを有し、ユーザーのスイッチ操作で、浴槽水の有無を給湯器に再度判定させる制御装置を有した請求項３又は４記載の風呂給湯器。
【請求項６】
給湯加熱部と、給湯熱交換器と、給水側に設けられ、給水流量を検知する水量検知部と、給湯出湯側に設けられ、温水を風呂回路に供給する給湯電磁弁と、浴槽水を循環させる循環ポンプと、風呂加熱部と、風呂熱交換器と、循環水の戻り通路上に設けられ循環水の戻り温度を検知する戻り温度検知部と、循環経路上に設けられ水流を検知する水流検知部を有し、前記戻り温度検知部が所定の温度以下を検知し、前記循環ポンプを駆動し、前記水流検知部が水流を検知しない場合、前記ポンプの運転を停止し、前記給湯電磁弁を開き、給湯加熱部で加熱された温水を風呂戻り通路及び風呂往き通路を介して浴槽に所定時間給湯する制御手段を有した風呂給湯器。
【請求項７】
給湯加熱部と、給湯熱交換器と、給水側に設けられ、給水流量を検知する水量検知部と、給湯出湯側に設けられ、温水を風呂回路に供給する給湯電磁弁と、浴槽水を循環させる循環ポンプと、風呂加熱部と、風呂熱交換器と、循環水の戻り通路上に設けられ循環水の戻り温度を検知する戻り温度検知部と、循環経路上に設けられ水流を検知する水流検知部を有し、前記戻り温度検知部が所定の温度以下を検知し、前記循環ポンプを駆動し、前記水流検知部が水流を検知しない場合、前記ポンプの運転を停止し、前記給湯電磁弁を開き、給湯加熱部で加熱された温水を風呂戻り通路及び風呂往き通路を介して浴槽に所定流量給湯する制御手段を有した風呂給湯器。
【発明の詳細な説明】
【０００１】
【発明の属する技術分野】
本発明は、給湯や追焚のできる風呂給湯器に関するものである。
【０００２】
【従来の技術】
従来の風呂給湯器は、図３に示すような構成になっている。給湯運転時には、給湯栓１を開くと水量センサー２が通水を検知した後、給湯燃焼用ファン３が回転し、給湯ガス元電磁弁４、給湯ガス比例弁５が開き、給湯バーナ６に着火し、給湯熱交換器７で加熱される。
【０００３】
ここで給湯熱交換器７で加熱された湯は、給湯回路８の入水側に設けたバイパス制御弁９により、入水側の水と混合される。混合された湯は外部入力装置１０で設定した給湯設定温度になるよう出湯サーミスター１１の信号によりバイパス制御弁９の開度を調整し、給湯接続口１２を経て給湯栓１より給湯される。
【０００４】
次に風呂運転時には、外部入力装置１０の運転スイッチを入れると、循環ポンプ１５により浴槽１６の浴槽水１７は、風呂戻り通路１８から、水流検知部１３にて循環を検知されると、風呂燃焼用ファン１９が回転し、風呂ガス元電磁弁２５、風呂ガス比例弁２４が開き、風呂バーナ２３に着火し、風呂熱交換器２０で加熱され風呂往き通路２１から、浴槽１６へ循環される。
【０００５】
次に自動お湯はり運転時には、給湯熱交換器７で加熱された湯は、給湯電磁弁３０が開き、風呂戻り通路１８および、風呂往き通路２１から浴槽１６へ供給される。
【０００６】
次に凍結予防運転時は、風呂戻りサーミスター１４が、所定の温度以下（例えば４℃以下）を検知し、機器に凍結の恐れがある場合、循環ポンプ１５により、浴槽１６の浴槽水１７は、風呂戻り通路１８、風呂熱交換器２０、風呂往き通路２１、浴槽１６へ循環し、凍結の予防措置を行う。この時、水流検知部１３が作動せず、浴槽１６に水がないと判定された場合は、循環ポンプ１５を所定時間運転し、風呂回路内の滞留水を浴槽１６に排出し、循環ポンプ１５は運転を停止する。
【０００７】
【発明が解決しようとする課題】
しかしながら、従来の風呂給湯器は、浴槽に水がない場合、循環ポンプを所定時間駆動し、風呂回路内の滞留水を浴槽に排出しても、ポンプ内部や、回路内の一部に水が残り凍結して破損する可能性があった。
【０００８】
取扱説明書には、凍結の恐れのある場合、浴槽の水を捨てないようにユーザーに喚起しているが、従来の風呂給湯器は、浴槽水の有無はユーザーの目視確認に委ねられているため、うっかり忘れていたりする場合が多かった。
【０００９】
【課題を解決するための手段】
本発明は上記課題を解決するために、浴槽水の有無を外部入力装置に表示し、ユーザーに知らせる制御手段を有したものである。特に、凍結の恐れのあるにもかかわらず、浴槽に水が無い場合、ユーザーに浴槽に水が無いことを信号音や、音声、文字メッセージ等により知らせ、浴槽への注水を喚起し、凍結による機器の破損を予防する事が出来る。
【００１０】
また、ユーザーが不在の場合等は、風呂回路に自動的に給湯を行うことにより、凍結による機器の破損を予防する事が出来る。
【００１１】
【発明の実施の形態】
本発明の請求項１記載の発明は、給湯加熱部と、給湯熱交換器と、給湯出湯側に設けられ、温水を風呂回路に供給する給湯電磁弁と、浴槽水を循環させる循環ポンプと、風呂加熱部と、風呂熱交換器と、循環水の戻り通路上に設けられ循環水の戻り温度を検知する戻り温度検知部と、循環水の戻り通路上に設けられ、浴槽水の水位を検知する水位検知部と、循環経路上に設けられ水流を検知する水流検知部を有し、前記水位検知部が浴槽水無しと判定した場合、浴槽に水がないことを外部入力装置に表示し、ユーザーに知らせる制御手段を有したものである。
【００１２】
そして、ユーザーは、いちいち浴室まで浴槽水の有無を目視確認しに行かなくても、離れた部屋で浴槽水の有無を判断出来る。
【００１３】
本発明の請求項２記載の発明は、給湯加熱部と、給湯熱交換器と、給湯出湯側に設けられ、温水を風呂回路に供給する給湯電磁弁と、浴槽水を循環させる循環ポンプと、風呂加熱部と、風呂熱交換器と、循環水の戻り通路上に設けられ循環水の戻り温度を検知する戻り温度検知部と、循環経路上に設けられ水流を検知する水流検知部を有し、定期的に前記循環ポンプを駆動し、前記水流検知部が水流を検知しない場合、浴槽水無しと判定し、浴槽に水がないことを外部入力装置に表示し、ユーザーに知らせる制御手段を有したものである。
【００１４】
そして、ユーザーは、いちいち浴室まで浴槽水の有無を目視確認しに行かなくても、離れた部屋で浴槽水の有無を判断出来る。
【００１５】
本発明の請求項３記載の発明は、給湯加熱部と、給湯熱交換器と、給湯出湯側に設けられ、温水を風呂回路に供給する給湯電磁弁と、浴槽水を循環させる循環ポンプと、風呂加熱部と、風呂熱交換器と、循環水の戻り通路上に設けられ循環水の戻り温度を検知する戻り温度検知部と、循環経路上に設けられ水流を検知する水流検知部を有し、前記戻り温度検知部が所定の温度以下を検知し、前記循環ポンプを駆動し、前記水流検知部が水流を検知しない場合、浴槽水無しと判定し、浴槽に水がないことを外部入力装置を介して知らせる制御手段を有したものである。
【００１６】
そして、風呂回路内の温度が低下し、機器が凍結の恐れがる場合、浴槽に水が無いことを予めユーザーに知らせることができ、浴槽への水張りを喚起し、機器の凍結の為のポンプ運転時には確実に浴槽に水を張った状態にしておくことが出来る。
【００１７】
本発明の請求項４記載の発明は、給湯加熱部と、給湯熱交換器部と、給湯出湯側に設けられ、温水を風呂回路に供給する給湯電磁弁と、浴槽水を循環させる循環ポンプと、風呂加熱部と、風呂熱交換部と、循環水の戻り通路上に設けられ循環水の戻り温度を検知する戻り温度検知部と、循環経路上に設けられ水流を検知する水流検知部を有し、前記戻り温度検知部が所定の温度以下を検知し、前記循環ポンプを駆動し、前記水流検知部が水流を検知しない場合、浴槽水無しと判定し、浴槽に水がないことを外部入力装置の所定のランプを点滅し、ユーザーに知らせる報知手段を有したものである。
【００１８】
そして、風呂回路内の温度が低下し、機器が凍結の恐れがる場合、浴槽に水が無いことを予めユーザーに知らせることができ、浴槽への水張りを喚起し、機器の凍結の為のポンプ運転時には確実に浴槽に水を張った状態にしておくことが出来る。
【００１９】
本発明の請求項５記載の発明は、前述の請求項１〜３のそれぞれにおいて報知手段は、ランプを点灯、ランプを点滅、信号音を発生、音声を伝達又は表示部に文字を表示するようにしたものである。
【００２０】
そして、風呂回路内の温度が低下し、機器が凍結の恐れがる場合、浴槽に水が無いことを予めユーザーに知らせることができ、浴槽への水張りを喚起し、機器の凍結の為のポンプ運転時には確実に浴槽に水を張った状態にしておくことが出来る。
【００２１】
本発明の請求項５記載の発明は、外部入力装置に所定のスイッチを有し、ユーザーのスイッチ操作で、浴槽水の有無を給湯器に再度判定させる制御装置を有したものである。
【００２２】
そして、給湯器が再度浴槽水の有無をチェックし、浴槽水ありと判定することにより、その後の凍結予防運転に支障をきたさないようにすることが出来る。
【００２３】
本発明の請求項６記載の発明は、給湯加熱部と、給湯熱交換器部と、給水側に設けられ、給水流量を検知する水量検知部と、給湯出湯側に設けられ、温水を風呂回路に供給する給湯電磁弁と、浴槽水を循環させる循環ポンプと、風呂加熱部と、風呂熱交換器と、循環水の戻り通路上に設けられ循環水の戻り温度を検知する戻り温度検知部と、循環経路上に設けられ水流を検知する水流検知部を有し、前記戻り温度検知部が所定の温度以下を検知し、前記循環ポンプを駆動し、前記水流検知部が水流を検知しない場合、前記ポンプの運転を停止し、前記給湯電磁弁を開き、給湯加熱部で加熱された温水を風呂戻り通路及び風呂往き通路を介して浴槽に所定時間給湯する制御手段を有したものである。
【００２４】
そして、風呂回路内の温度が低下し、機器が凍結の恐れがる場合、たとえユーザーが不在や、就寝中でも風呂回路に自動的に給湯を行うことにより、凍結による機器の破損を予防することが出来る。
【００２５】
本発明の請求項７記載の発明は、給湯加熱部と、給湯熱交換器と、給水側に設けられ、給水流量を検知する水量検知部と、給湯出湯側に設けられ、温水を風呂回路に供給する給湯電磁弁と、浴槽水を循環させる循環ポンプと、風呂加熱部と、風呂熱交換器と、循環水の戻り通路上に設けられ循環水の戻り温度を検知する戻り温度検知部と、循環経路上に設けられ水流を検知する水流検知部を有し、前記戻り温度検知部が所定の温度以下を検知し、前記循環ポンプを駆動し、前記水流検知部が水流を検知しない場合、前記ポンプの運転を停止し、前記給湯電磁弁を開き、給湯加熱部で加熱された温水を風呂戻り通路及び風呂往き通路を介して浴槽に所定流量給湯する制御手段を有したものである。
【００２６】
そして、風呂回路内の温度が低下し、機器が凍結の恐れがる場合、たとえユーザーが不在や、就寝中でも風呂回路に自動的に給湯を行うことにより、凍結による機器の破損を予防することが出来る。
【００２７】
【実施例】
以下、本発明の実施例について図面を用いて説明する。なお、従来例と同一部品には同一番号を付し説明する。
【００２８】
（実施例１）
図１は本発明の実施例１の風呂給湯器の構造図である。図から明らかのように給湯運転時には、給湯栓１を開くと水量センサー２が通水を検知した後、給湯燃焼用ファン３が回転し、給湯ガス元電磁弁４、給湯ガス比例弁５が開き、給湯バーナ６に着火し、給湯熱交換器７で加熱される。
【００２９】
ここで給湯熱交換器７で加熱された湯は、給湯回路８の入水側に設けたバイパス制御弁９により、入水側の水と混合される。混合された湯は外部入力装置１０で設定した給湯設定温度になるよう出湯サーミスター１１の信号によりバイパス制御弁９の開度を調整し、給湯接続口１２を経て給湯栓１より給湯される。
【００３０】
次に風呂運転時には、外部入力装置１０の運転スイッチを入れると、循環ポンプ１５により浴槽１６の浴槽水１７は、風呂戻り通路１８から、水流検知部１３にて循環を検知されると、風呂燃焼用ファン１９が回転し、風呂ガス元電磁弁２５、風呂ガス比例弁２４が開き、風呂バーナ２３に着火し、風呂熱交換器２０で加熱され風呂往き通路２１から、浴槽１６へ循環される。
【００３１】
次に自動お湯はり運転時には、給湯熱交換器７で加熱された湯は、給湯電磁弁３０が開き、風呂戻り通路１８および、風呂往き通路２１から浴槽１６へ供給される。そして、風呂回路上に設けられ、浴槽の水位を検知する水位センサー２６が浴槽に水が無いことを判断した場合、外部入力装置１０に浴槽が無いことを表示する。
【００３２】
（実施例２）
図２は本発明の実施例２〜１０の風呂給湯器の構成図である。図１とは、風呂回路に設けられた水位検知部２６の有無のみ異なる。給湯運転、風呂運転、自動お湯張り運転時は、実施例１と同様である。
【００３３】
実施例２では、定期的に循環ポンプ１５を駆動し、水流検知部１３が水流を検知しない場合、浴槽水無しと判定し、浴槽１６に水がないことを外部入力装置１０に表示する。
【００３４】
（実施例３）
実施例３では、風呂戻りサーミスター１４が、所定の温度以下（例えば７℃以下）を検知し、風呂回路内の温度が低下した場合、循環ポンプ１５により、浴槽１６の浴槽水１７は、風呂戻り通路１８、風呂熱交換器２０、風呂往き通路２１、浴槽１６へ循環し、浴槽水の有無の判定を行う。この時、水流検知部１３が作動し、浴槽水ありと判定された場合は、ポンプ運転を停止し待機する。
【００３５】
この時、水流検知部１３が作動せず、浴槽１６に水がないと判定された場合は、循環ポンプ１５は運転を停止し、外部入力装置１０の所定のランプ（例えばＬＥＤ）を点灯し、ユーザーに浴槽に水の無いことを知らせ、浴槽への水張りを喚起する。さらに風呂回路内の温度が低下し、風呂戻りサーミスター１４が所定の温度以下（例えば４℃以下）を検知し、機器に凍結の恐れがある場合、再度循環ポンプ１５により、浴槽１６の浴槽水１７は、風呂戻り通路１８、風呂熱交換器２０、風呂往き通路２１、浴槽１６へ循環し、凍結の予防措置を行う。
【００３６】
（実施例４）
実施例４では、風呂戻りサーミスター１４が、所定の温度以下（例えば７℃以下）を検知し、風呂回路内の温度が低下した場合、循環ポンプ１５により、浴槽１６の浴槽水１７は、風呂戻り通路１８、風呂熱交換器２０、風呂往き通路２１、浴槽１６へ循環し、浴槽水の有無の判定を行う。この時、水流検知部１３が作動し、浴槽水ありと判定された場合は、ポンプ運転を停止し待機する。
【００３７】
この時、水流検知部１３が作動せず、浴槽１６に水がないと判定された場合は、循環ポンプ１５は運転を停止し、外部入力装置１０の所定のランプ（例えばＬＥＤ）を点滅し、ユーザーに浴槽に水の無いことを知らせ、浴槽への水張りを喚起する。
【００３８】
さらに風呂回路内の温度が低下し、風呂戻りサーミスター１４が所定の温度以下（例えば４℃以下）を検知し、機器に凍結の恐れがある場合、再度循環ポンプ１５により、浴槽１６の浴槽水１７は、風呂戻り通路１８、風呂熱交換器２０、風呂往き通路２１、浴槽１６へ循環し、凍結の予防措置を行う。
【００３９】
（実施例５）
実施例５では、風呂戻りサーミスター１４が、所定の温度以下（例えば７℃以下）を検知し、風呂回路内の温度が低下した場合、循環ポンプ１５により、浴槽１６の浴槽水１７は、風呂戻り通路１８、風呂熱交換器２０、風呂往き通路２１、浴槽１６へ循環し、浴槽水の有無の判定を行う。この時、水流検知部１３が作動し、浴槽水ありと判定された場合は、ポンプ運転を停止し待機する。
【００４０】
この時、水流検知部１３が作動せず、浴槽１６に水がないと判定された場合は、循環ポンプ１５は運転を停止し、外部入力装置１０から信号音（例えばブザー）で、ユーザーに浴槽に水の無いことを知らせ、浴槽への水張りを喚起する。
【００４１】
さらに風呂回路内の温度が低下し、風呂戻りサーミスター１４が所定の温度以下（例えば４℃以下）を検知し、機器に凍結の恐れがある場合、再度循環ポンプ１５により、浴槽１６の浴槽水１７は、風呂戻り通路１８、風呂熱交換器２０、風呂往き通路２１、浴槽１６へ循環し、凍結の予防措置を行う。
【００４２】
（実施例６）
実施例６では、風呂戻りサーミスター１４が、所定の温度以下（例えば７℃以下）を検知し、風呂回路内の温度が低下した場合、循環ポンプ１５により、浴槽１６の浴槽水１７は、風呂戻り通路１８、風呂熱交換器２０、風呂往き通路２１、浴槽１６へ循環し、浴槽水の有無の判定を行う。この時、水流検知部１３が作動し、浴槽水ありと判定された場合は、ポンプ運転を停止し待機する。
【００４３】
この時、水流検知部１３が作動せず、浴槽１６に水がないと判定された場合は、循環ポンプ１５は運転を停止し、外部入力装置１０から音声で（例えば「機器の凍結の可能性があります。浴槽に水を入れてください」）伝え、ユーザーに浴槽に水の無いことを知らせ、浴槽への水張りを喚起する。
【００４４】
さらに風呂回路内の温度が低下し、風呂戻りサーミスター１４が所定の温度以下（例えば４℃以下）を検知し、機器に凍結の恐れがある場合、再度循環ポンプ１５により、浴槽１６の浴槽水１７は、風呂戻り通路１８、風呂熱交換器２０、風呂往き通路２１、浴槽１６へ循環し、凍結の予防措置を行う。
【００４５】
（実施例７）
実施例７では、風呂戻りサーミスター１４が、所定の温度以下（例えば７℃以下）を検知し、風呂回路内の温度が低下した場合、循環ポンプ１５により、浴槽１６の浴槽水１７は、風呂戻り通路１８、風呂熱交換器２０、風呂往き通路２１、浴槽１６へ循環し、浴槽水の有無の判定を行う。この時、水流検知部１３が作動し、浴槽水ありと判定された場合は、ポンプ運転を停止し待機する。
【００４６】
この時、水流検知部１３が作動せず、浴槽１６に水がないと判定された場合は、循環ポンプ１５は運転を停止し、外部入力装置１０の表示部に文字で（例えば「機器の凍結の可能性があります。浴槽に水を入れてください」）表示し、ユーザーに浴槽に水の無いことを知らせ、浴槽への水張りを喚起する。
【００４７】
さらに風呂回路内の温度が低下し、風呂戻りサーミスター１４が所定の温度以下（例えば４℃以下）を検知し、機器に凍結の恐れがある場合、再度循環ポンプ１５により、浴槽１６の浴槽水１７は、風呂戻り通路１８、風呂熱交換器２０、風呂往き通路２１、浴槽１６へ循環し、凍結の予防措置を行う。
【００４８】
（実施例８）
実施例８では、外部入力装置１０の所定のスイッチ操作により、ユーザーが浴槽に水を張ったあと、再度給湯器に浴槽水の有無を判定させることにより、機器の凍結予防運転に備えることが出来る。
【００４９】
（実施例９）
実施例９では、風呂戻りサーミスター１４が、所定の温度以下（例えば７℃以下）を検知し、風呂回路内の温度が低下した場合、循環ポンプ１５により、浴槽１６の浴槽水１７は、風呂戻り通路１８、風呂熱交換器２０、風呂往き通路２１、浴槽１６へ循環し、浴槽水の有無の判定を行う。この時、水流検知部１３が作動し、浴槽水なしと判定された場合は、ポンプ運転を停止し、給湯電磁弁３０が開き、給湯熱交換器７で加熱された湯を、風呂戻り通路１８および、風呂往き通路２１から浴槽１６へ所定時間供給し、風呂回路内の温度を上昇させ、凍結の予防措置を行う。
【００５０】
（実施例１０）
実施例１０では、風呂戻りサーミスター１４が、所定の温度以下（例えば７℃以下）を検知し、風呂回路内の温度が低下した場合、循環ポンプ１５により、浴槽１６の浴槽水１７は、風呂戻り通路１８、風呂熱交換器２０、風呂往き通路２１、浴槽１６へ循環し、浴槽水の有無の判定を行う。この時、水流検知部１３が作動し、浴槽水なしと判定された場合は、ポンプ運転を停止し、給湯電磁弁３０が開き、給湯熱交換器７で加熱された湯を、風呂戻り通路１８および、風呂往き通路２１から浴槽１６へ所定流量供給し、風呂回路内の温度を上昇させ、凍結の予防措置を行う。
【００５１】
【発明の効果】
以上のように本発明によれば、浴槽水の有無を外部入力装置に表示し、ユーザーがいちいち浴室まで浴槽水の有無を目視確認しに行く必要が無いので利便性が向上する。特に、凍結の恐れのあるにもかかわらず、浴槽に水が無い場合、ユーザーに浴槽に水が無いことを信号音や、音声、文字メッセージ等により知らせ、浴槽への注水を喚起し、その後の凍結予防運転に備える為、凍結による機器の破損を予防する事が出来る。
【００５２】
また、ユーザーが不在の場合等は、風呂回路に自動的に給湯を行い、風呂回路の温度を上昇させることにより、凍結による機器の破損を予防する事が出来る。
【図面の簡単な説明】
【図１】本発明の実施例１の形態による風呂給湯器を示す構成図
【図２】本発明の実施例２〜１０の形態による風呂給湯器を示す構成図
【図３】従来の風呂給湯器を示す構成図
【符号の説明】
２　水量センサー
４　給湯ガス元電磁弁
６　給湯バーナ
７　給湯熱交換器
８　給湯回路
１０　外部入力装置
１３　水流検知部
１５　循環ポンプ
１６　浴槽
１８　風呂戻り通路
２０　風呂熱交換器
２１　風呂往き通路
２３　風呂バーナ
２６　水位センサー
３０　給湯電磁弁
４０　制御手段
【図１】
2004044863.tif 000003
【図２】
2004044863.tif 000004
【図３】
2004044863.tif 000005